(57)【要約】【課題】折り畳み可能な自立式パネルにおいて、組み立てや展開を簡便なものとする。【解決手段】折曲可能に連結された一対の表示板２．３と、表示板を起立状態に保持する脚体４とからなり、脚体が、下方の表示板の裏面に一体に取り付けられた基板５と、この基板の両側部に、第１の谷折り線Ａを介して折曲可能に連設された一対の側板６とを備え、基板および両側板が、下方の表示板の上端から突出する長さに形成され、下方の表示板の上端部よりも下方に形成された幅方向の第２の谷折り線Ｂにおいて折り畳み可能に形成され、第２の谷折り線から上方に、第２の谷折り線において基板に連設され、この連設部分以外において基板および両側板から切り離された第１の連結片７が設けられている。【選択図】図６
2017167283.tif 000002
【特許請求の範囲】
【請求項１】
表面に表示面を有し、この表示面を上下に二分割する位置において、前記表示面を閉じるように折曲可能に連結された一対の表示板と、下方の前記表示板の裏面に設けられ、前記表示板を起立状態に保持する脚体とからなり、前記脚体が、前記下方の表示板の裏面に上下方向に沿って一体に取り付けられた基板と、この基板の両側部に、第１の谷折り線を介して折曲可能に連設された一対の側板とを備え、前記基板および両側板が、前記下方の表示板の上端から突出する長さに形成されているとともに、前記下方の表示板の上端部よりも下方に形成された幅方向の第２の谷折り線において折り畳み可能に形成され、前記第２の谷折り線から上方で、前記基板から前記両側板の途中に至る部位には、前記第２の谷折り線において前記基板に連設されているとともに、この連設部分以外において前記基板および前記両側板から切り離された第１の連結片が設けられ、前記両側板を立ち上げた後に前記第１の連結片を立ち上げることにより、この第１の連結片を前記両側板の中間部に係合させて、前記脚体を断面略コ字状に組み上げることを特徴とする自立式パネル。
【請求項２】
前記両側板の下部外方には、第３の谷折り線を介して折曲可能に連設され、相互に係脱可能となされた一対の第２の連結片が設けられ、これらの第２の連結片同士を相互に係合させることにより、前記両側板の下部を連結してなることを特徴とする請求項１に記載の自立式パネル。
【請求項３】
前記一対の第２の連結片の内の一方の第２の連結片には上方へ開口する切り込みが形成され、他方の第２の連結片には下方へ開口する切り込みが形成され、これらの切り込みを噛み合わせることにより、前記一対の第２の連結片同士を係合するようになされていることを特徴とする請求項２に記載の自立式パネル。
【請求項４】
前記第１の連結片の、前記各第１の谷折り線と重畳する部位に、前記第１の連結片の内側へ向かう凹部が形成されていることを特徴とする請求項１に記載の自立式パネル。
【請求項５】
前記一対の表示板が、これらを跨いで貼着されるシートによって折曲可能に連結されていることを特徴とする請求項１ないし請求項４の何れかに記載の自立式パネル。
【発明の詳細な説明】
【技術分野】
【０００１】
本発明は、たとえば看板のように、表示部に脚体を設けて、この脚体によって前記表示部を起立状態に保持するようにした自立式パネルに係わり、特に、不使用時に折り畳むことの可能な自立式パネルに関するものである。
【背景技術】
【０００２】
従来、看板等の自立式パネルとして、たとえば、特許文献１に示される構造のものが提案されている。
【０００３】
この自立式パネルは、上下方向に複数に分割されて、かつ、その分割部において折曲可能に連結された複数の表示板を用い、この複数の表示板の内の一つの表示板の裏面に箱形の脚体を設け、前記複数の表示板を平板状に展開するとともに、この展開された複数の表示板を、前記脚体によって起立状態に保持するようにしたものである。
【０００４】
また、この技術では、前記脚体を、シート状物に複数の折り線を設けておき、これらの折り線によって折り曲げて断面矩形状の筒体に組み上げることによって形成するようにしている。
【０００５】
さらに、前記脚体をシート状に展開するとともに、前記複数の表示板を折り畳み、この折り畳まれた複数の表示板を、前述したように展開されたシートを逆方向に折り曲げることによって、このシートによって前記折り畳まれた複数の表示板を包み込んで、収納状態とするようにしている。
【先行技術文献】
【特許文献】
【０００６】
【特許文献１】実用新案登録第３１６２０７６号公報
【発明の概要】
【発明が解決しようとする課題】
【０００７】
前述した従来の自立式パネルでは、使用時においては、表示板を展開した状態に保持して大きな表示面を確保し、不使用時においては小さく折り畳んで収納や持ち運びを容易にすることができるといった利点がある。
【０００８】
しかしながら、前述した自立式パネルにあっては、前記脚体を、断面矩形状の筒体に組み上げるようにしているために、前記脚体を形成するためのシートが大きくなってしまう。
【０００９】
また、断面矩形状の脚体であるために、その変形を防止するための構成が複雑で、その組み立てや展開が煩雑なものとなりやすい。
【００１０】
本発明は、前述した従来の技術において残されている不具合を解消するためになされたもので、折り畳み可能な自立式パネルにおいて、剛性を確保しつつ脚体の構成を簡素化し、これによって、組み立てや展開を簡便なものとすることを解決すべき課題としている。
【課題を解決するための手段】
【００１１】
本発明の自立式パネルは、前述した課題を解決するために、表面に表示面を有し、この表示面を上下に二分割する位置において、前記表示面を閉じるように折曲可能に連結された一対の表示板と、前記下方の表示板の裏面に設けられ、前記表示板を起立状態に保持する脚体とからなり、前記脚体が、前記下方の表示板の裏面に上下方向に沿って一体に取り付けられた基板と、この基板の両側部に、第１の谷折り線を介して折曲可能に連設された一対の側板とを備え、前記基板および両側板が、前記下方の表示板の上端から突出する長さに形成されているとともに、前記下方の表示板の上端部よりも下方に形成された幅方向の第２の谷折り線において折り畳み可能に形成され、前記第２の谷折り線から上方で、前記基板から両側板の途中に至る部位には、前記第２の谷折り線において前記基板に連設されているとともに、この連設部分以外において前記基板および前記両側板から切り離された第１の連結片が設けられ、前記両側板を立ち上げた後に前記第１の連結片を立ち上げることにより、この第１の連結片を前記両側板の中間部に係合させて、前記脚体を断面略コ字状に組み上げることを特徴とする。
【００１２】
このような構成とすることにより、前記基板、前記両側板、および、前記第１の連結片を、前記第１の谷折り線と前記第２の谷折り線において展開した状態で、前記基板および前記両側板を前記第２の谷折り線において折り畳み、さらに、前記一対の表示板を折り畳むことにより、不使用状態とすることができる。
【００１３】
この状態において、自立式パネルが、表示面の約半分に折り畳まれて、収納や持ち運びが容易となる。
【００１４】
また、たとえば使用時の表示面の大きさをＡ３サイズとした場合、折り畳んだ状態において、Ａ４サイズとすることができる。
このＡ４サイズであると、郵送用封筒に収納することができるので、郵送が可能となる。
【００１５】
一方、使用時にあっては、前記第２の谷折り線において、前記基板および前記両側板を展開し、ついで、前記両側板を前記両第１の谷折り線において、前記表示板に対して直立するように立ち上げる。
【００１６】
この状態において、前記基板および前記両側板の上部が、折り畳まれている前記表示板の上方に突出させられるとともに、前記両側板が、展開状態にある前記第１の連結片の内側に対峙させられる。
【００１７】
かつ、前記両側板を立ち上げた状態において、これらの側板の前記第１の連結片との対峙位置に、この第１の連結片の両側部の形状と同等の形状の空間が、前記表示板と直交するように形成される。
そして、前述した空間の高さは、前記第１の連結片の高さと等しい。
【００１８】
ついで、前記第１の連結片を前記第２の谷折り線において、前記表示板に対して直立するように立ち上げる。
このような第１の連結片の立ち上げに際して、その立ち上げ方向前方の前記両側板に、前述したような空間が形成されていることにより、前記第１の連結片の立ち上げが円滑に行なわれる。
【００１９】
そして、前述した空間の高さは、前記第１の連結片の高さと等しいことから、立ち上げられた前記第１の連結片の上端が、前記空間内において、前記各側板に当接させられる。
【００２０】
これによって、前記第１の連結片により、前記両側板が前記表示板に対して直立した位置に保持されて、断面略コ字状の脚体が形成される。
【００２１】
これより、前記脚体を用いて前記折り畳まれた表示板を起立状態に保持し、折り畳まれている表示板を上方へ持ち上げるように広げる。
【００２２】
持ち上げられた前記表示板は、前記脚体の前記基板および両側板の、前記下方の表示板の上方への突出部分によって支持される。
これによって、上下の表示板による大きな表示面が形成される。
【００２３】
そして、前記第１の連結片を立ち上げて前記両側板に当接させた状態において、前記第１の連結片が、前記両側板の倒れ方向両側に突出させられている。
これによって、前記両側板の倒れが防止され、その剛性が確保される。
【００２４】
このように、前記両側板と前記第１の連結片とによる簡素な構成で、剛性の確保された脚体を構成することができる。
また、前記両側板および前記第１の連結片の立ち上げといった簡便な操作によって脚体を形成することができる。
【００２５】
前記両側板の下部外方に、第３の谷折り線を介して折曲可能に連設され、相互に係脱可能となされた一対の第２の連結片を設けておき、これらの第２の連結片同士を相互に係合させることにより、前記両側板の下部を連結することが好ましい。
【００２６】
このような構成とすることにより、前記両側板をその下部において連結することにより、形成される前記脚体の剛性を高めることができる。
【００２７】
そして、前記一対の第２の連結片を係合させるための構成として、一方の第２の連結片に上方へ開口する切り込みを形成し、他方の第２の連結片に下方へ開口する切り込みを形成し、これらの切り込みを噛み合わせる構成とすることができる。
【００２８】
また、前記第１の連結片の、前記各第１の谷折り線と重畳する部位に、前記第１の連結片の内側へ向かう凹部を形成しておくこともできる。
【００２９】
このような構成とすることにより、前記両側板に形成される空間の高さを適宜設定することにより、前記両側板を前記凹部内に位置させることができ、これによって、前記両側板の倒れ方向への移動を拘束して、前記脚体の剛性をさらに高めることができる。
【００３０】
さらに、前記一対の表示板を、これらを跨いで貼着されるシートによって折曲可能に連結するようにしてもよい。
【発明の効果】
【００３１】
このように本発明によれば、折り畳み可能な自立式パネルにおいて、剛性を確保しつつ脚体の構成を簡素化し、これによって、組み立てや展開を簡便なものとすることができる。
【図面の簡単な説明】
【００３２】
【図１】本発明の一実施形態を示す側面図である。
【図２】本発明の一実施形態示す正面図である。
【図３】本発明の一実施形態を示す背面図である。
【図４】本発明の一実施形態を示す背面図である。
【図５】本発明の一実施形態を示すもので、脚体の組み立て手順を示す背面図である。
【図６】本発明の一実施形態を示すもので、後ろ斜め上方から見た斜視図である。
【発明を実施するための形態】
【００３３】
以下、本発明の一実施形態について、図面を参照して説明する。
これらの図において、符号１は、本実施形態に係わる自立式パネルを示す。
【００３４】
この自立式パネル１は、表面に表示面を有し、この表示面を上下に二分割する位置において、前記表示面を閉じるように折曲可能に連結された一対の表示板２・３と、前記下方の表示板２の裏面に設けられ、前記表示板２・３を起立状態に保持する脚体４とからなり、前記脚体４が、図３に詳述するように、前記下方の表示板２の裏面に上下方向に沿って一体に取り付けられた基板５と、この基板５の両側部に、第１の谷折り線Ａを介して折曲可能に連設された一対の側板６とを備え、前記基板５および両側板６が、前記下方の表示板２の上端から突出する長さに形成されているとともに、前記下方の表示板２の上端部よりも下方に形成された幅方向の第２の谷折り線Ｂにおいて折り畳み可能に形成され、前記第２の谷折り線Ｂから上方で、前記基板５から前記両側板６の途中に至る部位には、前記第２の谷折り線Ｂにおいて前記基板５に連設されているとともに、この連設部分以外において前記基板５および前記両側板６から、切り込みＺによって切り離された第１の連結片７が設けられている。
【００３５】
また、本実施形態においては、前記両側板６の下部外方に、第３の谷折り線Ｃを介して折曲可能に連設され、相互に係脱可能となされた一対の第２の連結片８が設けられている。
【００３６】
そして、前記一対の第２の連結片８を係合させるために、一方の第２の連結片８に上方へ開口する切り込み８ａを形成し、他方の第２の連結片８に下方へ開口する切り込み８ｂを形成し、これらの切り込みを噛み合わせる構成としている。
【００３７】
さらに、本実施形態においては、前記一対の表示板２・３の表示面となる表面に、図２に示すように、両表示面を跨いでシートＳが貼着されており、このシートＳによって前記両表示板２・３が折曲可能に連結されている。
【００３８】
また、前記第１の連結片７の、前記各第１の谷折り線Ａと重畳する部位に、前記第１の連結片７の内側へ向かう凹部９が形成されている。
【００３９】
このように構成された本実施形態に係わる自立式パネル１は、前記基板５、前記両側板６、および、前記第１の連結片７を、前記第１の谷折り線Ａと前記第２の谷折り線Ｂにおいて展開した状態で、前記基板５および前記両側板６を前記第２の谷折り線Ｂにおいて折り畳み、さらに、前記一対の表示板２・３を折り畳むことにより、図１および図４に示すように、不使用状態とすることができる。
【００４０】
この状態において、自立式パネル１が、表示面の約半分に折り畳まれて、収納や持ち運びが容易となる。
【００４１】
ここで、使用時の表示面の大きさをＡ３サイズとした場合、折り畳んだ状態においてＡ４サイズとして、郵送用封筒に収納可能な寸法とすることができ、郵送を可能にする。
【００４２】
一方、使用時にあっては、前記第２の谷折り線Ｂにおいて、前記基板５および前記両側板６を展開し、ついで、前記両側板６を前記両第１の谷折り線Ａにおいて、前記表示板２に対して直立するように立ち上げる。
【００４３】
この状態において、前記基板５および前記両側板６の上部が、図１および図３に示すように、折り畳まれている前記表示板２・３の上方に突出させられるとともに、図５に示すように、前記両側板６が、展開状態にある前記第１の連結片７の内側に対峙させられる。
【００４４】
かつ、前記両側板６を立ち上げた状態において、これらの側板６の前記第１の連結片７との対峙位置に、図１および図６に示すように、この第１の連結片７の両側部の形状と同等の形状の空間Ｇが、前記表示板と直交するように形成される。
そして、前述した空間Ｇの高さは、前記第１の連結片７の高さと等しい。
【００４５】
ついで、図１および図６に示すように、前記第１の連結片７を前記第２の谷折り線Ｂにおいて、前記表示板２に対して直立するように立ち上げる。
このような第１の連結片７の立ち上げに際して、その立ち上げ方向前方の前記両側板６に、前述したような空間Ｇが形成されていることにより、前記第１の連結片７の立ち上げが円滑に行なわれる。
【００４６】
そして、前述した空間Ｇの高さは、前記第１の連結片７の高さと等しいことから、立ち上げられた前記第１の連結片７の上端が、前記空間内Ｇにおいて、前記各側板６に当接させられる。
【００４７】
これによって、前記第１の連結片７により、前記両側板６が前記表示板２に対して直立した位置に保持されて、断面略コ字状の脚体４が形成される。
【００４８】
このように形成された前記脚体４では、前記第１の連結片７を立ち上げて前記両側板６に当接させた状態において、前記第１の連結片７が、前記両側板６の倒れ方向両側に突出させられている。
これによって、前記両側板の倒れが防止され、その剛性が確保される。
【００４９】
一方、本実施形態においては、前記両側板６に形成される空間Ｇの高さを適宜設定することにより、図６に示すように、前記両側板６を、前記第１の連結片７に形成されている前記凹部９内に位置させることができ、これによって、前記両側板６の倒れ方向への移動を拘束して、前記脚体の剛性をさらに高めることができる。
【００５０】
さらに、本実施形態においては、一対の前記第２の連結片８を前記第３の谷折り線Ｃにおいて折り曲げ、それぞれに形成された前記切り込み８ａ・８ｂを噛み合わせることにより、前記両第２の連結片８を係合させる。
【００５１】
このような前記第２の連結片８の係合によって、前記両側板６をその下部において連結して、さらなる剛性の向上を図ることができる。
【００５２】
これより、前記脚体４を用いて前記折り畳まれた表示板２・３を起立状態に保持し、図１に鎖線で示すように、折り畳まれている表示板３を上方へ持ち上げるように広げる。
【００５３】
持ち上げられた前記表示板３は、前記脚体４の前記基板５および両側板６の、前記下方の表示板２の上方への突出部分によって支持される。
これによって、上下の表示板２・３による大きな表示面を形成することができる。
【００５４】
なお、前記実施形態において示した各構成部材の諸形状や寸法等は一例であって、設計要求等に基づき種々変更可能である。
【符号の説明】
【００５５】
１  自立式パネル
２  表示板
３  表示板
４  脚体
５  基板
６  側板
７  第１の連結片
８  第２の連結片
８ａ  切り込み
８ｂ  切り込み
９  凹部
Ａ  第１の谷折り線
Ｂ  第２の谷折り線
Ｃ  第３の谷折り線
Ｇ  空間
Ｓ  シート
Ｚ  切り込み
【図１】
2017167283.tif 000003
【図２】
2017167283.tif 000004
【図３】
2017167283.tif 000005
【図４】
2017167283.tif 000006
【図５】
2017167283.tif 000007
【図６】
2017167283.tif 000008